(57)【要約】  垂直方向に伸縮する支柱部材の上端部に設けられるフック部３を有する支柱部材７と一対のアーム部１１とからなる。アーム部は支柱部材の背面の側に設けられ、支柱部材の下端部に連結されるリンク機構からなる一対のリンク部材１７に連結されて開閉自在とされる。支柱部材にアーム部を常時において「開」状態に付勢するばね１０が内蔵され、爪部２１を兼ねた出入自在のプッシュボタン２２が直交方向に付勢されて設けられる。支柱部材とフック部の境界部に指掛部４ａが設けられる。支柱部材が対向する２本の指で挟持され、そのうちの一の指にてプッシュボタンの操作をして爪部を支柱部材に未固定の「入」状態にし、指掛部を第３の指にて下降動作し、「閉」状態とする。また、プッシュボタンの操作をすることにより「閉」状態の爪部を支柱部材に「入」状態にしてばね力によりアーム部が「開」状態となる。これにより片手で簡単に吊下動作することができる。
2012096139.tif 000002
【特許請求の範囲】
【請求項１】
フック部を有する支柱部材と一対のアーム部とからなるハンガであって、
上記フック部は垂直方向に伸縮する支柱部材の上端部に設けられ、
上記一対のアーム部は上記支柱部材の一の面の側に設けられ、かつ、上記支柱部材の下端部に連結される一対のリンク部材に連結されて開閉自在とされ、
上記一対のリンク部材は一端部を上記一対のアーム部の中途部に枢着され、他端部を上記支柱部材の下端部に枢着され、
上記支柱部材にアーム部を常時において「開」状態に付勢するばねが内蔵され、
上記支柱部材と上記フック部の境界に指掛部が設けられ、
上記支柱部材の一部が対向する２本の指で挟持され、第３の指にて上記指掛部を下降動作して上記アーム部を「閉」状態とし、上記第３の指が上記指掛部から離脱されるとばね力により上記アーム部が「開」状態となることを特徴とする折り畳みハンガ。
【請求項２】
フック部を有する支柱部材と一対のアーム部とからなるハンガであって、
上記フック部は垂直方向に伸縮する支柱部材の上端部に設けられ、
上記一対のアーム部は上記支柱部材の一の面の側に設けられ、かつ、上記支柱部材の下端部に連結される一対のリンク部材に連結されて開閉自在とされ、
上記一対のリンク部材は一端部を上記一対のアーム部の中途部に枢着され、他端部を上記支柱部材の下端部に枢着され、
上記支柱部材にアーム部を常時において「開」状態に付勢するばねが内蔵され、
上記支柱部材に出入自在の爪部が該支柱部材に対し直交方向に付勢されて設けられ、
上記爪部に連動するプッシュボタンが設けられ、  
さらに上記支柱部材と上記フック部の境界に指掛部が設けられ、
上記支柱部材の一部が対向する２本の指で挟持され、第３の指にて上記指掛部を下降動作し、次いで上記爪部を上記支柱部材に「出」状態にして上記アーム部を「閉」状態とし、上記アーム部を「開」状態とする場合、上記支柱部材の一部が対向する２本の指で挟持され上記第３の指にて上記プッシュボタンの操作をすることにより上記爪部を上記支柱部材に「入」状態にしてばね力により上記アーム部が「開」状態となることを特徴とする折り畳みハンガ。
【請求項３】
フック部を有する支柱部材と一対のアーム部とからなるハンガであって、
上記フック部は垂直方向に伸縮する支柱部材の上端部に設けられ、
上記一対のアーム部は上記支柱部材の一の面の側に設けられ、かつ、上記支柱部材の下端部に連結される一対のリンク部材に連結されて開閉自在とされ、
上記一対のリンク部材は一端部を上記一対のアーム部の中途部に枢着され、他端部を上記支柱部材の下端部に枢着され、
上記支柱部材にアーム部を常時において「開」状態に付勢するばねが内蔵され、
上記支柱部材に爪部を兼ねた出入自在のプッシュボタンが該支柱部材に対し直交方向に付勢されて設けられ、
さらに上記支柱部材と上記フック部の境界部に指掛部が設けられ、
上記支柱部材の一部が対向する２本の指で挟持され、かつそのうちの一の指にてプッシュボタンの操作をすることにより上記爪部を上記支柱部材に未固定の「入」状態にし、さらに上記指掛部を第３の指にて下降動作し、上記爪部を上記支柱部材に「出」状態にして上記アーム部を「閉」状態とし、上記アーム部を「開」状態とする場合、上記支柱部材の一部が対向する２本の指で挟持され、かつそのうちの一の指にて上記プッシュボタンの操作をすることにより上記爪部を上記支柱部材に「入」状態にしてばね力により上記アーム部が「開」状態となることを特徴とする折り畳みハンガ。
【請求項４】
請求項１乃至請求項３のいずれか一記載の折り畳みハンガにおいて、上記指掛部が支柱部材の頂上部に形成されることを特徴とする折り畳みハンガ。
【請求項５】
請求項１乃至請求項３のいずれか一記載の折り畳みハンガにおいて、上記指掛部が支柱部材の頂上部に突設されることを特徴とする折り畳みハンガ。
【請求項６】
請求項２又は請求項３記載の折り畳みハンガにおいて、上記プッシュボタンを外側に付勢するばねがコイルばねからなることを特徴とする折り畳みハンガ。
【請求項７】
請求項２又は請求項３記載の折り畳みハンガにおいて、上記プッシュボタンを外側に付勢するばねが線状の移動ばねからなることを特徴とする折り畳みハンガ。
【請求項８】
請求項１乃至請求項３のいずれか一記載の折り畳みハンガにおいて、上記一対のリンク部材は下端部を共通の軸に枢着されることを特徴とする折り畳みハンガ。
【請求項９】
請求項８記載の折り畳みハンガにおいて、上記一対のリンク部材がいずれも上記支柱部材の外側面に枢着されることを特徴とする折り畳みハンガ。
【請求項１０】
請求項８記載の折り畳みハンガにおいて、上記一対のリンク部材がいずれも上記支柱部材の内側面に枢着されることを特徴とする折り畳みハンガ。
【請求項１１】
請求項１乃至請求項３のいずれか一記載の折り畳みハンガにおいて、上記アーム部を上記支柱部材の背面に外設することを特徴とする折り畳みハンガ。
【請求項１２】
請求項１乃至請求項３のいずれか一記載の折り畳みハンガにおいて、上記指掛部が上記フック部と一体に形成されることを特徴とする折り畳みハンガ。
【請求項１３】
請求項１乃至請求項３のいずれか一記載の折り畳みハンガにおいて、上記支柱部材が上記ばねを内蔵する内筒と該内筒を内挿する外筒とからなることを特徴とする折り畳みハンガ。
【請求項１４】
請求項１乃至請求項３のいずれか一記載の折り畳みハンガにおいて、上記アーム部は開閉自在の構造材と該構造材に摺動自在に設けられたスライドアームとからなることを特徴とする折り畳みハンガ。
【請求項１５】
請求項１４記載の折り畳みハンガにおいて、上記スライドアームは上記構造材に対し無段階的に伸長可能であることを特徴とする折り畳みハンガ。
【請求項１６】
請求項１４又は請求項１５記載の折り畳みハンガにおいて、上記スライドアームと上記構造材のいずれか一方にスライドレールを設け、他方に該スライドレールに対応するレール受けを設けることを特徴とする折り畳みハンガ。
【請求項１７】
請求項１乃至請求項３のいずれか一記載の折り畳みハンガにおいて、上記外筒に一対の握り部が形成されることを特徴とする折り畳みハンガ。
【請求項１８】
請求項１又は請求項２記載の折り畳みハンガにおいて、上記支柱部材に拡開された上記アーム部の拡開状態を固定するためのロック装置が取り付けられることを特徴とする折り畳みハンガ。
【請求項１９】
請求項１８記載の折り畳みハンガにおいて、上記ロック装置は支柱部材に対し直交する方向に移動自在の固定用バーからなり、該固定用バーが上記支柱部材に設けられる貫通孔に挿入されてなることを特徴とする折り畳みハンガ。
【発明の詳細な説明】
【技術分野】
【０００１】
本願発明はハンガ、とくにアーム部が折り畳み自在である折り畳みハンガに関する。
【背景技術】
【０００２】
被服例えばティーシャツのように頭部を貫通する開口が設けられ、前面又は後面に設けられる身頃の開閉ができないタイプの被服をハンガに吊下するには、従来、アーム部の一方をフック部付近まで開口に深く通した後、他方のアーム部を開口に通して行なっていた。【０００３】
このため、この吊下動作には必ず両手を使わざるを得ず、陳列等のために多数の被服を持った状態のまま片手で作業することができなかった。【０００４】
また、上記のようにこの吊下動作は複雑な動作となり、迅速に行なうことができなかった。【０００５】
さらに、不慣れな者が作業するとシャツ等被服の開口の形状を毀損することがあり、このような場合被服の商品価値を損なうという欠点があった。【０００６】
従来の折り畳み可能なハンガの場合、片方づつ拡開する結果、例えば、左右のアーム部の位置が理想状態のベストポジションにない場合、開閉するときの力がアーム部にアンバランスにかかる。このため、アーム部が左右非対称に拡開したり、あるいは片方のアーム部が開かないおそれがある。このような場合、前者では吊下中の被服の変形や型崩れを誘発し、後者では両手を使ってアーム部の拡開をしなければならない。いずれにおいても吊下作業を片手の画一的な動作により連続的に行なうことはできなかった。
【先行技術文献】
【特許文献】
【０００７】
【特許文献１】実願昭６０−３３３１０号（実開昭６３−１４０２７４号）のマイクロフィルム
【特許文献２】特開２００２−３０６３０９号公報
【特許文献３】特開２００１−２８６３８２号公報
【特許文献４】実願昭５７−１０６６３２号（実開昭５９−１０７４７号）のマクロフィルム
【特許文献５】特開平１０−７５８７３号公報
【特許文献６】実願昭６２−６４９４７号（実開昭６３−１７２３８３号）のマクロフィルム
【発明の概要】
【発明が解決しようとする課題】
【０００８】
本願発明は上記欠点を解消し、片手で簡単に吊下動作することができる折り畳みハンガを供することを目的とする。【０００９】
また迅速かつ効率的に被服を吊下することができる折り畳みハンガを供することを目的とする。
【課題を解決するための手段】
【００１０】
上記目的達成のため、本願発明による折り畳みハンガは、フック部を有する支柱部材と一対のアーム部とからなるハンガであって、上記フック部は垂直方向に伸縮する支柱部材の上端部に設けられ、上記一対のアーム部は上記支柱部材の一の面の側に設けられ、かつ、上記支柱部材の下端部に連結される一対のリンク部材に連結されて開閉自在とされ、上記一対のリンク部材は一端部を上記一対のアーム部の中途部に枢着され、他端部を上記支柱部材の下端部に枢着され、上記支柱部材にアーム部を常時において「開」状態に付勢するばねが内蔵され、上記支柱部材と上記フック部の境界に指掛部が設けられ、上記支柱部材の一部が対向する２本の指で挟持され、第３の指にて上記指掛部を下降動作して上記アーム部を「閉」状態とし、上記第３の指が上記指掛部から離脱されるとばね力により上記アーム部が「開」状態となることを特徴とする。
また、本願発明による折り畳みハンガは、フック部を有する支柱部材と一対のアーム部とからなるハンガであって、上記フック部は垂直方向に伸縮する支柱部材の上端部に設けられ、上記一対のアーム部は上記支柱部材の一の面の側に設けられ、かつ、上記支柱部材の下端部に連結される一対のリンク部材に連結されて開閉自在とされ、上記一対のリンク部材は一端部を上記一対のアーム部の中途部に枢着され、他端部を上記支柱部材の下端部に枢着され、上記支柱部材にアーム部を常時において「開」状態に付勢するばねが内蔵され、上記支柱部材に出入自在の爪部が該支柱部材に対し直交方向に付勢されて設けられ、上記爪部に連動するプッシュボタンが設けられ、さらに上記支柱部材と上記フック部の境界に指掛部が設けられ、上記支柱部材の一部が対向する２本の指で挟持され、第３の指にて上記指掛部を下降動作し、次いで上記爪部を上記支柱部材に「出」状態にして上記アーム部を「閉」状態とし、上記アーム部を「開」状態とする場合、上記支柱部材の一部が対向する２本の指で挟持され上記第３の指にて上記プッシュボタンの操作をすることにより上記爪部を上記支柱部材に「入」状態にしてばね力により上記アーム部が「開」状態となることを特徴とする。
また、本願発明による折り畳みハンガは、フック部を有する支柱部材と一対のアーム部とからなるハンガであって、上記フック部は垂直方向に伸縮する支柱部材の上端部に設けられ、上記一対のアーム部は上記支柱部材の一の面の側に設けられ、かつ、上記支柱部材の下端部に連結される一対のリンク部材に連結されて開閉自在とされ、上記一対のリンク部材は一端部を上記一対のアーム部の中途部に枢着され、他端部を上記支柱部材の下端部に枢着され、上記支柱部材にアーム部を常時において「開」状態に付勢するばねが内蔵され、上記支柱部材に爪部を兼ねた出入自在のプッシュボタンが該支柱部材に対し直交方向に付勢されて設けられ、さらに上記支柱部材と上記フック部の境界部に指掛部が設けられ、上記支柱部材の一部が対向する２本の指で挟持され、かつそのうちの一の指にてプッシュボタンの操作をすることにより上記爪部を上記支柱部材に未固定の「入」状態にし、さらに上記指掛部を第３の指にて下降動作し、上記爪部を上記支柱部材に「出」状態にして上記アーム部を「閉」状態とし、上記アーム部を「開」状態とする場合、上記支柱部材の一部が対向する２本の指で挟持され、かつそのうちの一の指にて上記プッシュボタンの操作をすることにより上記爪部を上記支柱部材に「入」状態にしてばね力により上記アーム部が「開」状態となることを特徴とする。
また、請求項１乃至請求項３のいずれか一記載の折り畳みハンガにおいて、上記指掛部が支柱部材の頂上部に形成されることを特徴とする。
また、請求項１乃至請求項３のいずれか一記載の折り畳みハンガにおいて、上記指掛部が支柱部材の頂上部に突設されることを特徴とする。
また、請求項２又は請求項３記載の折り畳みハンガにおいて、上記プッシュボタンを外側に付勢するばねがコイルばねからなることを特徴とする。
また、請求項２又は請求項３記載の折り畳みハンガにおいて、上記プッシュボタンを外側に付勢するばねが線状の移動ばねからなることを特徴とする。
また、請求項１乃至請求項３のいずれか一記載の折り畳みハンガにおいて、上記一対のリンク部材は下端部を共通の軸に枢着されることを特徴とする。
また、請求項８記載の折り畳みハンガにおいて、上記一対のリンク部材がいずれも上記支柱部材の外側面に枢着されることを特徴とする。
また、請求項８記載の折り畳みハンガにおいて、上記一対のリンク部材がいずれも上記支柱部材の内側面に枢着されることを特徴とする。
また、請求項１乃至請求項３のいずれか一記載の折り畳みハンガにおいて、上記アーム部を上記支柱部材の背面に外設することを特徴とする。
また、請求項１乃至請求項３のいずれか一記載の折り畳みハンガにおいて、上記指掛部が上記フック部と一体に形成されることを特徴とする。
また、請求項１乃至請求項３のいずれか一記載の折り畳みハンガにおいて、上記支柱部材が上記ばねを内蔵する内筒と該内筒を内挿する外筒とからなることを特徴とする。
また、請求項１乃至請求項３のいずれか一記載の折り畳みハンガにおいて、上記アーム部は開閉自在の構造材と該構造材に摺動自在に設けられたスライドアームとからなることを特徴とする。
また、請求項１４記載の折り畳みハンガにおいて、上記スライドアームは上記構造材に対し無段階的に伸長可能であることを特徴とする。
また、請求項１４又は請求項１５記載の折り畳みハンガにおいて、上記スライドアームと上記構造材のいずれか一方にスライドレールを設け、他方に該スライドレールに対応するレール受けを設けることを特徴とする。
また、請求項１乃至請求項３のいずれか一記載の折り畳みハンガにおいて、上記外筒に一対の握り部が形成されることを特徴とする。
また、請求項１又は請求項２記載の折り畳みハンガにおいて、上記支柱部材に拡開された上記アーム部の拡開状態を固定するためのロック装置が取り付けられることを特徴とする。
また、請求項１８記載の折り畳みハンガにおいて、上記ロック装置は支柱部材に対し直交する方向に移動自在の固定用バーからなり、該固定用バーが上記支柱部材に設けられる貫通孔に挿入されてなることを特徴とする。
【発明の効果】
【００１１】
アーム部を「閉」状態にして被服内に挿入し、開口からフック部が出た状態で、その後アーム部を拡開させれば被服をハンガに吊下することができる。【００１２】
よって被服の吊下作業を画一的な動作により連続的にすることができるから、被服の吊下作業を簡単迅速、連続的、効率的に行なうことができる。【００１３】
吊下動作が簡単であり、複雑でないから、多数の被服を持った状態のまま片手で作業することができる。【００１４】
吊下作業の際、開口の形状を毀損するおそれがないので、被服の商品価値を損なう等吊下作業に伴うリスクを減殺することができる。
【図面の簡単な説明】
【００１５】
【図１Ａ】（Ａ）は本願発明による折り畳みハンガの実施の形態を示す正面斜視図であり、拡開状態を示す。（Ｂ）は同背面斜視図である。
【図１Ｂ】（Ｃ）は図１Ａ（Ａ）の正面図、（Ｄ）は（Ｃ）の平面図、（Ｅ）は（Ｃ）の底面図である。
【図１Ｃ】（Ｆ）は図１Ｂ（Ｃ）の左側面図、（Ｇ）は図１Ｂ（Ｃ）の背面図である。
【図１Ｄ】（Ｈ）は図１Ｂ（Ｃ）のアーム部及びリンク機構の縦断面図、（Ｉ）は同支柱部材の縦断面図である。
【図２Ａ】図１Ａ（Ａ）の「閉」状態を示す図である。
【図２Ｂ】図１Ａ（Ａ）の「開」状態を示す図である。
【図３】図１Ａの支柱部材の詳細図である。
【図４】図１Ａのフック部の詳細図である。
【図５】（Ａ）は図１Ａの爪部の拡大図、（Ｂ）は（Ａ）の斜視図である。
【図６Ａ】（Ａ）は図１Ａのアーム部の拡大図、（Ｂ）は同分解図である。
【図６Ｂ】（Ｃ）は図６Ａ（Ａ）のＣ矢示図、（Ｄ）は図６Ａ（Ａ）のＤ矢示図、（Ｅ）は伸張時の図６Ａ（Ａ）のＥ矢視図である。
【図７】（Ａ）はロック装置の拡大図、（Ｂ）は同ロック状態の拡大図である。
【図８Ａ】（Ａ）は本願発明による折り畳みハンガの他の実施の形態を示す正面斜視図であり、拡開状態を示す。（Ｂ）は同背面斜視図である。
【図８Ｂ】（Ｃ）は図８Ａ（Ａ）の正面図、（Ｄ）は（Ｃ）の平面図、（Ｅ）は（Ｃ）の底面図である。
【図８Ｃ】（Ｆ）は図８Ｂ（Ｃ）の左側面図、（Ｇ）は図８Ｂ（Ｃ）の背面図である。
【図８Ｄ】（Ｈ）は図８Ｂ（Ｃ）のアーム部及びリンク機構の縦断面図、（Ｉ）は同支柱部材の縦断面図である。
【図９Ａ】（Ａ）は本願発明による折り畳みハンガのさらに他の実施の形態を示す正面断面図で「開」状態を示す図、（Ｂ）は（Ａ）の左側面図である。
【図９Ｂ】（Ｃ）は図９Ａ（Ａ）の「閉」状態を示す図である。
【図１０】（Ａ）は本願発明による折り畳みハンガのさらに他の実施の形態を示す要部斜視図、（Ｂ）は本願発明による折り畳みハンガのさらに他の実施の形態を示す要部斜視図、（Ｃ）は本願発明による折り畳みハンガのさらに他の実施の形態を示す要部斜視図、（Ｄ）は（Ｃ）の右側面図である。
【発明を実施するための形態】
【００１６】
次に、実施の形態を示す図面に基づき本願発明による折り畳みハンガをさらに詳しく説明する。なお、便宜上同一の機能を奏する部分には同一の符号を付してその説明を省略する。
【００１７】
図１Ａ乃至図７は、本願発明による折り畳みハンガ１の第１の実施の形態を示す。これは、アーム部１１を「開」とするのにプッシュボタン２２を用いるワンタッチ式の場合である。本願発明による折り畳みハンガ１は、伸縮自在の支柱部材７と、開閉自在のアーム部１１と、上記支柱部材７の上端部に突設されるフック部３と、該フック部３と上記支柱部材７の境界に設けられる指掛部４からなる。
【００１８】
上記支柱部材７は筒状に形成された内筒８と、該内筒８を昇降自在に嵌装する外筒９とからなる。上記内筒８内には引きばねからなるばね１０が内蔵される。上記支柱部材７には、図３に示すように、内筒８の長手方向には長溝８ａが設けられ、一対のアーム部１１の開閉時に、該長溝８ａ内を上記ばね１０（図１Ｂ（Ｃ）及び図１Ｄ（Ｉ）に示す）を止める固定ピン１０ａ（図１Ｂ（Ｃ）及び図１Ｄ（Ｉ）に示す）が摺動する。
【００１９】
アーム部１１は、接合具９ａを介して、上記外筒９の背面に左右一対に設けられる。各アーム部１１は樹脂性の構造材１３と樹脂性のスライドアーム１５とからなり、該構造材１３と該スライドアーム１５とは互いに摺動自在である。上記構造材１３の底面には溝１４が設けられ、該溝１４内に上記リンク板１７ａが枢着されている。上記構造材１３は、各々、基端部を上記外筒９の上部に回動ピン１２により開閉自在に枢着される。
【００２０】
１７は一対のリンク部材からなるリンク機構１７であり、上記支柱部材７の背面側に枢着される。即ちリンク機構１７は、図１Ｄ（Ｈ）、同（Ｉ）により詳しく示すように、各々、上端部が上記構造材１３の中途部に回動自在に連結され、下端部が上記内筒８の下端部に回動自在に連結される。各リンク機構のリンク板１７ａの上端部は回動ピン１７ｂにより、また下端部は共通の回動軸１７ｃにて枢着される。上記アーム部１１は、上記リンク機構１７により、各々、開閉自在に構成される。
【００２１】
フック部３は先端部がフック状に形成されてなり、上記内筒８に回動可能に連結される。
【００２２】
指掛部４は、図４に示すように、上記フック部３の下端部に一体に連結された舌片状部材５の下端部に外方に向かって鍔状に突設されてなる。
【００２３】
２１は出入自在の爪部であり、プッシュボタン２２に連動する。該爪部２１は、図５に詳しく示すように、内筒８に内設されたコイルばね２０により、内筒８に直交する方向に付勢された状態で内筒８に設けられ、プッシュボタン２２により、「出」「入」の操作をされる。２１ａは上記爪部２１と上記プッシュボタン２２を連結するプレートである。２０ａはばね軸、２１ｂは該ばね軸２０ａが出入する孔である。２３は上記爪部２１が係止される下方の係止孔であり、外筒９に設けられ、上記爪部２１が「出」「入」する。なお、内筒８には上記爪部２１が係止される上方の係止孔（図示省略）が設けられる。上記外筒９の下部の側面には波状に凹んだ一対の握り部２５が形成される。
【００２４】
図２Ａ及び図２Ｂに基づきアーム部１１の開閉動作について詳しく説明する。まず、アーム部１１を図２Ａに示すように「閉」状態として被服３０内に挿入する。このときばね１０は伸長状態である。ワンタッチ式の場合、片手の親指と中指とで握り部２５を持ち、一方人指し指にてプッシュボタン２２を押圧すれば、爪部２１と係止孔２３との係止が解除されるので、ばね１０の力によりアーム部１１が図２Ｂに示すように拡開される。上記拡開動作の間は、他方の手Ｂに持ち替える必要がない。なお、ワンタッチ式の場合、「閉」状態とするには、片手の親指と中指とで握り部２５を持ち、人指し指を指掛部４に掛けてばね１０の力に抗して下降動作すると、爪部２１が支柱部材７を下降し係止孔２３から「出」状態となる。これによりアーム部１１の「閉」状態が固定される。
【００２５】
またここで一対のアーム部１１の伸長についても詳しく説明する。図６Ａ（Ａ）及び同（Ｂ）に示すように、上記構造材１３の外周側面の対向位置にはスライドレール１３ａが設けられ、上記スライドアーム１５の底面の対向位置に設けられたレール受け１５ａに摺動自在に係合される。これらによりスライドアーム１５が構造材１３に無段階的に伸長可能となり、被服の肩幅に合わせスライドされる。図６Ｂ（Ｄ）及び同（Ｅ）に示すように、上記スライドアーム１５には衝突片１５ｂが設けられ、構造材１３に設けられる他の衝突片１３ｂが該衝突片１５ｂに衝突することにより、スライドアーム１５の脱落を防止する。
【００２６】
図６Ｂ（Ｄ）及び同（Ｅ）に示すように、スライドアーム１５は幅方向に拡げて形成され、かつ端部にはアールが形成される。該スライドアーム１５の上面には、複数（図示実施例では５箇）の切欠２９が設けられ、これらにより摺動時における構造材１３との摩擦抵抗の減少が図られる。図６Ｂ（Ｃ）に示すように、構造材１３の底面には「閉」状態のときリンク板１７ａが収納される溝１４を設けてある。
【００２７】
本実施の形態では上記支柱部材７に、図７により詳しく示すように、大重量の被服を吊下するときのために、拡開されたアーム部１１の拡開状態を堅固に固定するためのロック装置２４が設けられる。該ロック装置２４は、上記外筒９に外設されたケース２４ａ内に外筒９に対し直交する方向に移動自在に設けられる固定用バー２４ｂからなり、他方上記内筒８及び上記外筒９に該固定用バー２４ｂが挿入される係止孔（図示省略）が設けられる。２４ｃ（図３に示す）は内筒８に設けられる係止孔である。
【００２８】
上記実施の形態においては、図２Ａに示すようにアーム部１１を「閉」状態にして被服３０の内に挿入し、開口３１からフック部３が出ている状態でプッシュボタン２２を押圧する。すると爪部２１と係止孔２３との係止が解除されるので、ばね１０の力によりアーム部１１が図２Ｂに示すように拡開されるので、これにより、被服３０を折り畳みハンガ１に吊下することができる。
【００２９】
具体的にみると、図２Ａに示すように、アーム部１１の「閉」状態においてハンガ１を３点支持により持った一の手（片手）Ａは被服の外部にある。一方、他の手Ｂは被服のネック部分をもっている。そして被服３０の開口３１から、一の手Ａにあるハンガ１のアーム部１１をフック部３の辺りまで挿入する。この状態で一の手Ａの操作（後記する手動式の場合指の離脱、ワンタッチ式の場合プッシュボタン２２の押圧）をすると、アーム部１１が拡開するので被服３０がハンガ１に掛止されるのである。即ち、本願発明によれば、被服の外部において片手によるハンガー操作を可能とするのである。
【００３０】
そして、上記拡開動作の間は他方の手Ｂに持ち替える必要がない。よって本願発明によるハンガー掛け作業は画一的な動作となるから、連続的な作業が可能となり、効率が向上するという有利な効果がある。
【００３１】
指掛部４は支柱部材７とフック部３の境界に設けられているから、アーム部１１を「閉」状態とするため指掛部４を押し下げたとき、指掛部４は被服３０の開口３１から必ず外に出るため、被服３０に干渉しない。よって、前記したことと相まってハンガー掛け作業において、連続的な作業が可能となり、効率が向上するという有利な効果がある。
【００３２】
また吊下作業の際、被服３０の開口３１の形状を毀損するおそれがないので、被服３０の商品価値を損なう等吊下作業に伴うリスクを減殺することができる。
【００３３】
このように上記実施の形態によれば、被服３０の吊下動作を複雑でない画一的な動作とすることができるから、被服３０の吊下作業を簡単迅速、連続的、効率的に行なうことができる。
【００３４】
またアーム部１１の拡開操作の際、片手で外筒９を握ることになるが、アーム部１１は図１Ｂ（Ｄ）及び図１Ｃ（Ｆ）に最もよく表われるように、外筒９の背面に外設されているから、拡開操作の際アーム部１１が操作する手に衝突するのを防止する。よってアーム部１１の拡開操作を円滑に行なうことができる。
【００３５】
さらに上記実施の形態によれば、リンク機構が共通の回動軸１７ｃに枢着されてＶ字形状に形成されているため、部品点数が少なくなる。このため連結部材間の接触部位が少なくなり、アーム部１１の拡開・折り畳み時において回動部位の摩耗を少なくすることができる。よって、故障が少ないので、この点でも吊下作業が効率的となる。
【００３６】
またリンク機構がＶ字形状に形成され、部品点数が少ないので、工程管理が容易となり、加工精密度のレベルが小となる。このため、製造管理し易くなるのでコスト低下に寄与する。この種ハンガにとり低コスト化の要請は大きいので上記効果は有効である。
【００３７】
さらに部品点数が少なくなるため、構造が簡易化し、組立てが容易となるので、不良率が減少する。これによってもコスト低下に寄与する。
【００３８】
ハンガの構造が単純化するので、多様なデザインに展開することができる。
【００３９】
次に上記実施の形態によれば、リンク機構が共通の回動軸１７ｃに枢着されＶ字形状に形成されるため、アーム部１１の角度がアンバランスになり難く、この種の折り畳みハンガにあり得たアーム部の回動部位における被服３０の挟み込みを防止する。
【００４０】
またばね１０が内筒８に内蔵されているので、アーム部の開閉が左右対称の状態でスムーズに行なわれる。またロックする場合においても拡開中の係止は別部材のロック装置２４によりなされるから、ロックが安定化する。
【００４１】
ここで片手操作とリンク機構１７の関係について詳しく述べる。上記したようにワンタッチ式の場合においても、後記する手動式の場合においても、被服３０の吊下の際のアーム部１１の拡開はフック部３を出した状態において、片手の親指と中指と人指し指で操作するのみである。この間他方の手に持ち替える必要はない。よって被服の吊下作業を３本の指による単純で画一的な動作に置き換えることができ、これにより吊下作業を連続的、効率的に行なうことができる。
【００４２】
またリンク部材１７は下端部が共通の回動軸１７ｃに枢着されてリンク機構がＶ字形状に形成されるため、リンク板１７ａの可動域が内側方向となる。このため、左右のアーム部１１を夫々内側に押圧回動することにより、両者間をより狭くすることができ、これにより、被服３０の開口３１がより小なる場合であっても、被服開口の変形や型崩れすることなく、吊下することができる。
【００４３】
さらにリンク部材１７は下端部が共通の回動軸１７ｃに枢着されるため、開閉するときの力が左右に均等にかかるので、アーム部１１の拡開が左右対称となる。この結果、吊下される被服３０に対し被服３０の自重が偏在してかからないので、吊下中の被服の変形や型崩れを防止する。この点に関し、開閉するときの力が左右に均等にかからない場合は、アーム部が左右非対称に拡開したり、あるいは片方のアーム部が開かないおそれがある。このような場合、前者では吊下中の被服の変形や型崩れを誘発し、後者では両手を使ってアーム部の拡開をしなければならない。いずれにおいても吊下作業を画一的な動作により連続的に行なうことはできない。
【００４４】
本願発明による折り畳みハンガは上記実施の形態に限定されない。例えば、アーム部１１の開閉機構に関し、図８Ａ乃至図８Ｄに示す手動式とすることができる。この場合、プッシュボタン２２及び該プッシュボタン２２と連動する爪部２１が係止される上下の係止孔２３は不要となる。
【００４５】
手動式による場合、基本動作が同じとなるので、図２Ａ及び図２Ｂを借りて、アーム部１１の開閉動作について説明する。一点鎖線で示す人指し指を指掛部４から離すと、ばね１０の付勢力によりアーム部１１が「開」状態となる（図２Ｂ参照）。また一点鎖線で示す片手Ａの親指と中指とで握り部２５を持ち、他方一点鎖線で示す人指し指を指掛部４に掛けてばね１０の力に抗して下降動作をすれば、アーム部１１が「閉」状態となる。なお、上記したワンタッチ式において、プッシュボタン２２を使用しなければ、手動式として使用することもできる。
【００４６】
図８Ａ乃至図８Ｄに示す手動式によれば、アーム部１１の「閉」状態においてハンガ１を３点支持により持った一の手（片手）Ａは被服３０の外部にある。一方、他の手Ｂは被服３０のネック部分をもっている。そして被服３０の開口３１から、一の手Ａにあるハンガ１のアーム部１１をフック部３の辺りまで挿入する（図２Ａ参照）。この状態で一の手Ａの操作（指掛部４からの人指し指の離脱）をすると、アーム部１１が拡開するので被服３０がハンガーに掛止されるから（図２Ｂ参照）、被服３０の外部において片手によるハンガー操作を可能とする。よって、上記ワンタッチ式と同様、被服の吊下作業を片手の画一的な動作により連続的にすることができるから、被服３０の吊下作業を簡単迅速、連続的、効率的に行なうことができる等、ワンタッチ式で述べたのと同様の効果を奏することができる。
【００４７】
さらにまた、アーム部１１を手動式にて拡開する場合は、拡開の速度を自在に操作することができるので、拡開に伴う手指や被服の挟み込み事故を防止することができる。
【００４８】
図９Ａ（Ａ）（Ｂ）及び図９Ｂ（Ｃ）は上記第１の実施の形態の改良を示す。これは、出入自在のプッシュボタン２２が爪部を兼ねる場合である。プッシュボタン２２は、逆Ｕ字型に形成された線状の移動ばね２２ａにより外側に付勢されている。また握り部２５は外筒９の上部の辺り、即ち上部係止孔２３ａと下部係止孔２３ｂの間に設けられる。その余の構成は上記第１の実施の形態と同様である。
【００４９】
この場合も基本動作が同じとなるので、図２Ａ及び図２Ｂを借りてアーム部１１の開閉動作を説明する。アーム部１１の「閉」状態においてハンガ１を持った一の手（片手）Ａは被服３０の外部にある。一方、他の手Ｂは被服３０のネック部分をもっている。そして被服３０の開口３１から、一の手Ａにあるハンガ１のアーム部１１をフック部３の辺りまで挿入する（図２Ａ参照）。この状態で一の手Ａの親指にて下部係止孔２３ｂにあるプッシュボタン２２の押圧をすると、プッシュボタン２２即ち爪部と下部係止孔２３ｂとの係止が解除されるので、ばね１０の力によりアーム部１１が拡開する（図２Ｂ参照）。これにより、被服３０がハンガ１に掛止されるから、被服３０の外部において片手Ａによるハンガ１の操作を可能とする。なお、この場合アーム部１１を「閉」状態とするには、片手Ａの親指にてプッシュボタン２２を押しながら、中指とで支柱部材７を挟持すると、プッシュボタン２２即ち爪部は上部係止孔２３ａから支柱部材７に未固定の「入」状態となる。次いで人指し指を指掛部４ａに掛けてばね１０の力に抗して下降動作し、プッシュボタン２２即ち爪部を上部係止孔２３ｂから支柱部材７に「出」状態にする。これによりアーム部１１の「閉」状態が固定される。
【００５０】
よって、上記第１の実施の形態と同様、被服３０の吊下作業を片手Ａの画一的な動作により連続的にすることができるから、被服３０の吊下作業を簡単迅速、連続的、効率的に行なうことができる等、ワンタッチ式で述べたのと同様の効果を奏することができる。またこの実施の形態の場合、同一部材により右利き用、左利き用いずれにも対応することができるから、部品点数が減少する効果がある。具体的にいうと、図９Ａ（Ａ）（Ｂ）及び図９Ｂ（Ｃ）に示すハンガ１は右利き用に設定されているが、左利き用にする場合、支柱部材７を１８０°回転させた状態で組み立てればよい。
【００５１】
図９Ａ（Ａ）（Ｂ）及び図９Ｂ（Ｃ）は、また指掛部を改良する場合をも示す。この場合指掛部４ａは、内筒８の頂上部に鍔状に突設される。上記指掛部４ａは、押下時の応力を得るよう、上記内筒８に固定される基端部４ｄが膨大にして強度を大に形成される。
【００５２】
なお、図９Ａ（Ａ）（Ｂ）及び図９Ｂ（Ｃ）において、下部係止孔２３ｂを設けなければ、爪部が下部係止孔に係止することができないので手動式として使用することができる。また図９Ａ（Ａ）（Ｂ）及び図９Ｂ（Ｃ）は爪部を兼ねたプッシュボタン２２と、指掛部４ａの上記改良をともに図示しているが、これらは別々に実施されてもよい。例えば、指掛部を図１Ａ（Ａ）に示すような舌片状部材５の下端部に設ける態様としてもよい。
【００５３】
図１０は、指掛部を改良したさらに他の実施の形態を示す。この場合、指掛部４ｂは支柱部材７具体的には内筒８の頂上部に形成される。この場合、上記指掛部４ｂは、（Ａ）、（Ｂ）又は（Ｃ）に示すように、扁平状に形成することができる。フック部３は、（Ａ）、（Ｂ）に示すように内筒８の頂上部に偏心させて設ける。図１０（Ｂ）は偏心させた部分３ａを膨大に形成し、内筒８の頂上部が段差状に形成される場合である。また図１０（Ｃ）、（Ｄ）はその膨大部３ａを指掛部４ｂの外方に突設する場合である。図１０（Ｃ）、（Ｄ）の場合は、吊下される被服３０の重みに耐えられるよう適宜の材質強度のものにより形成する。
【００５４】
プッシュボタン２２の操作について、上記実施の形態ではプッシュボタン２２の押圧により爪部の係止を解除するが、爪部の係止を解除する態様は問わない。例えばプッシュボタン２２の横動により爪部の係止を解除してもよい。
【００５５】
一対のアーム部１１は支柱部材７の例えば正面に外設することとしてもよい。
【００５６】
一対のアーム部１１は、各々、スライドアーム１５を有しない一部材からなるものでもよい。ただし、この場合は被服３０の肩幅に応じて伸長させることはできない。
【００５７】
スライドレールをスライドアーム１５側に設け、レール受けを構造材１３に設けてもよい。
【００５８】
スライドアーム１５は段階的に伸長するものであってもよい。
【００５９】
一対のリンク部材は内筒の下端部の内側面に枢着されてもよい。
【００６０】
指掛部４、４ａ、４ｂをフック部３と別体に形成してもよい。
【００６１】
一対の握り部２５の形成は任意である。
【００６２】
第１実施の形態及び第２実施の形態の場合、ロック装置２４の設置は任意である。
【００６３】
支柱部材７の形状は任意であり、必ずしも円形の筒状でなくともよく、例えば方形の筒状部材であってもよい。
【００６４】
またばね１０の付勢力は、上記実施の形態とは逆に付勢するものであってもよい。
【００６５】
さらにまた、各部材の素材は適宜の材料を用いることができる。
【産業上の利用可能性】
【００６６】
本願発明による折り畳みハンガ１は被服吊下用のハンガ１に活用することができる。
【符号の説明】
【００６７】
１      折り畳みハンガ
３      フック部
３ａ    下端部
４      指掛部
４ａ    指掛部
４ｂ    指掛部
４ｄ    基端部
５      舌片部材
７      支柱部材
８      内筒
８ａ    長溝
９      外筒
９ａ    接合具
１０    ばね
１０ａ  固定ピン
１１    アーム部
１２    回動ピン
１３    構造材
１３ａ  スライドレール
１３ｂ  衝突片
１４    溝
１５    スライドアーム
１５ａ  レール受け
１５ｂ  衝突片
１７    リンク機構
１７ａ  リンク板
１７ｂ  回動ピン
１７ｃ  回動軸
２０    コイルばね
２０ａ  ばね軸
２１    爪部
２１ａ  プレート
２１ｂ  孔
２２    プッシュボタン
２２ａ  移動ばね
２３    係止孔
２３ａ  上部係止孔
２３ｂ  下部係止孔
２４    ロック装置
２４ａ  ケース
２４ｂ  固定用バー
２４ｃ  係止孔
２５    握り部
２９    切欠
３０    被服
３１    開口
【図１Ａ】
2012096139.tif 000003
【図１Ｂ】
2012096139.tif 000004
【図１Ｃ】
2012096139.tif 000005
【図１Ｄ】
2012096139.tif 000006
【図２Ａ】
2012096139.tif 000007
【図２Ｂ】
2012096139.tif 000008
【図３】
2012096139.tif 000009
【図４】
2012096139.tif 000010
【図５】
2012096139.tif 000011
【図６Ａ】
2012096139.tif 000012
【図６Ｂ】
2012096139.tif 000013
【図７】
2012096139.tif 000014
【図８Ａ】
2012096139.tif 000015
【図８Ｂ】
2012096139.tif 000016
【図８Ｃ】
2012096139.tif 000017
【図８Ｄ】
2012096139.tif 000018
【図９Ａ】
2012096139.tif 000019
【図９Ｂ】
2012096139.tif 000020
【図１０】
2012096139.tif 000021
【国際調査報告】
2012096139.tif 000022
2012096139.tif 000023
2012096139.tif 000024
2012096139.tif 000025